(57)【要約】      （修正有）【課題】キーホルダやブレスレットなどの装飾品として利用する、厚さ方向の膨らみや幅方向の出っ張りのないスッキリとした構造の帯状シート部材収納装飾具を提供する。【解決手段】帯状シート部材収納装飾具１は、帯状シート部材を収納可能な透明で柔軟な樹脂材からなる袋状の収納部を形成する本体２と、本体２の長手方向両端にそれぞれ接合されて長手方向に延在する部分に係合部２８と被係合部３０を各々備えた一対の留め具６ａ、６ｂと、一対の留め具の間に挿入可能な一対の貫通孔３２を備えた略矩形状のホルダ部２６とから構成される。本体２を二つ折りに曲げて係合部２８と被係合部３０とを対向配置し、その間隙に二つ折りに曲げられて一対の貫通孔３２が重なったホルダ部２６を挟んで係合部２８と被係合部３０とを係合すればキーホルダが形成される。ホルダ部を連結具に置き換えることでブレスレットとしても使用できる。【選択図】図１
0003215266.tif 000002
【実用新案登録請求の範囲】
【請求項１】
銀テープを含む帯状のシート部材を収納して装飾品として使用可能な帯状シート部材収納装飾具において、
前記帯状のシート部材が収納可能な透明で柔軟な合成樹脂材からなる袋状の収納部を形成する本体と、
前記本体の長手方向両端側にそれぞれ接合されて前記本体から長手方向に延在する部分を有する一対の留め具であって、前記延存する部分のいずれか一方に係合部、他方に該係合部に係合可能な被係合部を備えた一対の留め具と、
前記一対の留め具の間に挿入可能な一対の貫通孔を備えた略矩形状のホルダ部とから構成され、
前記本体が二つ折りに曲げられて前記一対の留め具の係合部と被係合部とが対向配置された間隙に、同じく二つ折りに曲げられて前記一対の貫通孔が重なった状態の前記ホルダ部が挟まれ、該一対の貫通孔を貫通して前記係合部と被係合部とが着脱可能に係合されていることを特徴とする帯状シート部材収納装飾具。
【請求項２】
銀テープを含む帯状のシート部材を収納して装飾品として使用可能な帯状シート部材収納装飾具において、
前記の帯状シート部材が収納可能な透明で柔軟な合成樹脂材からなる袋状の収納部を形成する本体と、
前記本体の長手方向両端側にそれぞれ接合されて前記本体から長手方向に延在する部分を有する一対の留め具であって、前記延存する部分のいずれか一方に係合部、他方に該係合部に係合可能な被係合部を備えた一対の留め具と、
前記一方の留め具の係合部に係合可能な第２の被係合部と、前記他方の留め具の被係合部に係合可能な第２の係合部とを備えた略矩形形状の連結部とから構成され、
前記本体が環状に曲げられて前記一対の留め具が突き合わされた状態で前記連結部が該一対の留め具の延存部分に重ね合わされ、前記一対の留め具の係合部と被係合部の各々に前記連結部の第２の被係合部と第２の係合部とが着脱可能に係合されていることを特徴とする帯状シート部材収納装飾具。
【請求項３】
前記帯状シート部材収納装飾具が、前記ホルダ部に直接もしくは間接にキーが取り付けられているキーホルダである、請求項１に記載の帯状シート部材収納装飾具。
【請求項４】
前記帯状シート部材収納装飾具が、手首に環状に巻いて取り付けられるブレスレットである、請求項２に記載の帯状シート部材収納装飾具。
【考案の詳細な説明】
【技術分野】
【０００１】
本考案は、銀テープ、ミラーテープ、その他装飾用テープ等の帯状シート部材を透明な収納部材内に収納し、キーホルダ、ブレスレット、バッグ飾り等の装飾品として使用することができる帯状シート部材収納装飾具に関する。
【背景技術】
【０００２】
コンサートやライブ等のイベントで使用されたカラフルな銀テープ等を持ち帰り、記念に容器等に入れて保管したり、適当な長さに切って装飾品にしたりして楽しむことが特に若者の間で流行している。後者の例として、銀テープ等の帯状シート部材を透明な収納部材内に収納してキーホルダまたはブレスレットとして利用する技術が開示されている（例えば、特許文献１参照。）。
【０００３】
図４は、特許文献１に開示された装飾具１（ここではキーホルダ）を示しており、図４（ａ）は平面図、同（ｂ）は側面図である。両図において装飾具１は、両端に取り付け用の孔を開けた細長い袋状の本体２と、該両孔を合わせるように折り畳んだ本体２を取り付けるようスナップボタン（係合部２８および被係合部３０）を取り付けて３つ折り状に折り畳んだ留め具６と、留め具６に保持される保持具４等のキー取付け部から構成されている。ビニール等の透明材料から成る本体２の袋状の内部に銀テープ等の装飾用帯状シート部材が挿入されることにより、それが本体２の外部から視認できる結果、全体としてシート部材を飾りとしたキーホルダが形成される。
【０００４】
図５は、同じく特許文献１に示されたもので、図４に示す同じ構成要素を利用して装飾具１をブレスレットとして使用する例を示している。図５において装飾具１は、本体２がリング状に丸められて両端の孔が重ね合され、これに留め具６を幅方向に巻き付けてスナップボタン２８、３０で止めることによりブレスレットを形成している。キーホルダの場合と同様に本体２には装飾用帯状シート部材が挿入されているため、装飾具１からなる当該ブレスレットは手首を飾る装飾品として機能するものとなる。
【０００５】
なお、図４、５には明瞭に表示されていないが、本体２の両端にある孔部分には略正方形状の孔の開いた端シートが融着等により接合されていて、本体２の孔の周囲を補強すると共に、本体２内部に挿入されたシート部材の抜けを防止するストッパの役割を果たしている。
【先行技術文献】
【特許文献】
【０００６】
【特許文献１】実用新案登録第３２０２５４１号公報
【特許文献２】意匠登録第１５５４１４１号公報
【考案の概要】
【考案が解決しようとする課題】
【０００７】
上述した従来技術に係る帯状シート部材収納装飾具には改善の余地があった。図４（ｂ）の側面図からも分かるように、留め具６が３つ折りとなっているため、屈曲部２７Ａ、２７Ｂが板厚方向に広がるため部分的に不必要な膨らみができる。これは図５に示すブレスレットとして使用する場合も同様に屈曲部２７Ａ、２７Ｂにおいて膨らみ、厚さ方向に厚みが形成される。図５に示すように、当該屈曲部２７Ａ、２７Ｂがブレスレットの幅方向両端においても出っ張りがさらに形成されるため、そのような膨らみや出っ張りは手首の装飾品として好ましいものではない。
【０００８】
加えて図４（ｂ）に示すキーホルダの例では、同じく留め具６部分において本体２と保持具４とが奇妙に重なり合って不自然に厚みが増えている。図６はこの部分を拡大した様子を示すもので（図１と同一の装飾具を対象とする特許文献２参照。）、このような複雑な構成は好ましいアレンジとはいえず、これによってさらに当該部分の厚みが不必要に増すことにもなる。
【０００９】
以上より、本考案は、従来技術にあるこれらの課題を解消し、余分な出っ張りや厚み増加を解消し、無理なくスッキリとしたアレンジを可能とする帯状シート部材収納装飾具を提供することを目的としている。
【課題を解決するための手段】
【００１０】
本考案は、本体２に孔を開けることなく、留め具６を本体２に接合し、保持具４を取り付け可能な単独機能のホルダ部、ならびに本体部２をリング状に結ための選択的に使用可能な連結部を設けることによって上記課題を解消するもので、具体的には以下の内容を含む。
【００１１】
すなわち、本考案に係る１つの態様は、銀テープ等の帯状のシート部材を収納して装飾品として使用可能な帯状シート部材収納装飾具において、前記帯状のシート部材が収納可能な透明で柔軟な合成樹脂材からなる袋状の収納部を形成する本体と、本体の長手方向両端側にそれぞれ接合されて本体から長手方向に延在する部分を有する一対の留め具であって、該延存する部分のいずれか一方に係合部、他方に該係合部に係合可能な被係合部を備えた一対の留め具と、前記一対の留め具の間に挿入可能な一対の貫通孔を備えた略矩形状のホルダ部とから構成されている。本体が二つ折りに曲げられて前記一対の留め具の係合部と被係合部とが対向配置された間隙に、同じく二つ折りに曲げられて前記一対の貫通孔が重なった状態の前記ホルダ部が挟まれ、該一対の貫通孔を貫通して前記係合部と被係合部とが着脱可能に係合されている。当該帯状シート部材収納装飾具は、例えばキーホルダとして使用することができる。
【００１２】
本考案の他の態様は、銀テープ等の帯状のシート部材を収納して装飾品として使用可能な帯状シート部材収納装飾具において、前記の帯状シート部材が収納可能な透明で柔軟な合成樹脂材からなる袋状の収納部を形成する本体と、本体の長手方向両端側にそれぞれ接合されて本体から長手方向に延在する部分を有する一対の留め具であって、前記一対の留め具の延存する部分のいずれか一方に係合部、他方に前記係合部に係合可能な被係合部を備えた一対の留め具と、前記一方の留め具の係合部に係合可能な第２の被係合部と、前記他方の留め具の被係合部に係合可能な第２の係合部とを備えた略矩形形状の連結部とから構成される。本体が環状に曲げられて前記一対の留め具が突き合わされた状態で前記連結部が該一対の留め具の延存部分に重ね合わされ、一対の留め具の係合部と被係合部の各々に連結部の第２の被係合部と第２の係合部とがそれぞれ着脱可能に係合されている。当該帯状シート部材収納装飾具は、例えばブレスレットとして使用することができる。
【考案の効果】
【００１３】
本考案の実施により、キーホルダやブレスレット等の装飾品として利用することができる、無駄な出っ張りや膨らみのないスッキリとした構造の、銀テープ等が収納可能な帯状シート部材収納装飾具の提供が可能となる。
【図面の簡単な説明】
【００１４】
【図１】本考案の実施の形態に係る帯状シート部材収納装飾具の構成と構造を示す説明図である。
【図２】図１に示す帯状シート部材収納装飾具の係合部分を示す部分拡大側面図である。
【図３】図１に示す帯状シート部材収納装飾具の他の使用態様を示す説明図である。
【図４】従来技術に係る帯状シート部材収納装飾具を示す平面図（ａ）および側面図（ｂ）である。
【図５】図４に示す従来技術に係る帯状シート部材収納装飾具の他の使用態様を示す説明図である。
【図６】図５に示す従来技術に係る帯状シート部材収納装飾具の部分拡大側面図である。
【考案を実施するための形態】
【００１５】
本考案の実施の形態に係る帯状シート部材収納装飾具について、図面を参照して説明する。図１は、本実施の形態にかかる帯状シート部材収納装飾具１を示している。全体構成を示す図１（ａ）において、帯状シート部材収納装飾具（以下、単に「装飾具」とも呼ぶ。）１は、２重に重ねられた透明シート状部材の長手方向に延びる縁が接合されて袋状となった収納部を形成する合成樹脂材からなる本体２と、本体２の長手方向両端に融合等により接合され、該長手方向に延在する部分に係合部２８、被係合部３０を各個に備えた一対の留め具６（６ａ、６ｂ）と、別体のシート状部材であって、長手方向に一対の貫通孔３２を有するホルダ部２６とから構成されている。
【００１６】
本体２の収納部内には、長手方向の袋状の一端から銀テープ等の図示しない帯状シート部材を挿入することができ、該帯状シート部材の表面に表示された図柄が本体２の透明シート状部材を通して外部から視認することができる。また留め具６の本体２から延存する部分に取り付けられた係合部２８と被係合部３０は、いずれか一方を凸状部（ゲンコ、図では×印で表示）、他方を凹状部（バネ、図では○印で表示）としたスナップボタンで構成することができる。ただし、これらは従来技術で知られた他の適切な係合部材が使用されてもよい。
【００１７】
図１（ｂ）は、図１（ａ）に示す要素からなる装飾具１を組立てた状態を示しており、本体２を中央で二重に折り畳むことにより両端にある留め具６ａ、６ｂの係合部２８と被係合部３０を対向させてスナップボタンの作用で着脱可能に係合することができる。両者を係合する前に、ホルダ部２６を同じく中央で二重に折り畳み、重なった一対の貫通孔３２に係合部２８または被係合部３０を貫通させることで図のようにＵ字状のホルダを形成させることができる。ホルダ部２６の当該箇所には、図示のようなキーリング４０を差し込めば、本装飾具１をキーホルダとして機能させることができる。ホルダ部２６は本実施の継体では本体２と同様の透明の樹脂材としているが、皮革等他の材料が使用されてもよい。
【００１８】
図２は、留め具６の係合状態を部分的に拡大して示す側面図である。図２において、本体２の両端に接合された一対の留め具６ａ、６ｂが対向して位置し、その間にＵ字状に二つ折りされたホルダ部２６の貫通孔３２が配置されて係合部２８と被係合部３０が押し込まれることによりスナップフィットされて着脱可能に係合することができる。図に示す係合された状態で、一対の留め具６ａと６ｂの間に介在するのはホルダ部２６が二重に折り重ねられた一対のシート状部材のみという極めてシンプルな構造となる。
【００１９】
図２に示す本実施の形態に係る留め具６（６ａ、６ｂ）部分の状態と、図６に示す従来技術の留め具６部分の状態とを比較すると両者間の相違は明りょうである。図６に示す従来技術のものでは、同じ係合部分で本体２と留め具６、さらにはキーリングとが不自然に重なり合い、また留め具６自身が三重にも折り畳まれていることからその屈曲部分も含めて厚さ方向に大きく膨らむ原因となっている。これに対して本装飾具１では、留め具６の間に介在するのが上述した通りホルダ部６の一対のシート状部材のみとなるため必要以上に膨らむことはなく、図２からも明らかなように本考案に係る装飾具１の方がはるかにスッキリとした構成とすることができる。
【００２０】
次に、図３は本実施の形態に係る装飾１をブレスレットなどのリング状装飾品として使用する他の使用態様を示している。図３（ａ）に示す態様では、本体２を図１（ａ）に示す状態から裏返して図１（ｂ）とは反対の方向に本体２を丸めて一対の留め具６ａ、６ｂを突き合わせている。この状態では係合部２８と被係合部３０とが同一面に現れるため両者を係合することはできない。係合を可能とするため、図３（ａ）に示すように別体となる連結具５０が準備される。連結具５０には、留め具６ａ、６ｂの各係合部２８、被係合部３０にそれぞれ係合可能な第２の被係合部３０と第２の係合部２８からなる一対のスナップボタン要素が配置されており、これらを留め具６ａ、６ｂにそれぞれスナップフィットすることによってリング状装飾具１が形成される。
【００２１】
図３（ａ）では本体２を図１に示す状態から裏返して丸めるものとしているが、裏返しとすることなく図１のキーホルダと同一方向に丸めることも可能であり、それを図３（ｂ）に示している。ここでは、図１（ａ）に示す状態の本体２の一端側の留め具６ｂ（留め具６ａの方であっても良い。）に、あらかじめ連結具５０の第２の係合部２８が止めてある。そして本体をそのまま丸めて手首等に巻いた後、他端側の留め具６ａを連結具５０の第２の被係合部３０に係合すれば、今度はキーホルダと同一方向で丸めたブレスレットなどのリング状装飾品が形成される。すなわち、本実施の形態に係る装飾具１によるブレスレットは、リバーシブルとして利用することもできる。
【００２２】
図３（ａ）、（ｂ）のいずれに示す状態においても、本体２と一対の留め具６ａ、６ｂの間に形成される段差の間に連結具５０がピッタリと嵌るため、連結部５０と本体２との表面は面一となって膨らみや凹みが無くなる。さらに、この状態で連結具５０は本体２の収納部に挿入された帯状シート部材の抜け落ちを防ぐストッパとしての役割を果たす。これを図５に示す従来技術に係るブレスレットと比較すると両者の差は明瞭である。すなわち、図５のリング状を形成する係合部では、孔部が重ね合された二重の本体部２に加え、留め具６がその上に計三重にも重なるために厚さ方向に大きな膨らみが形成されることになる。さらに、本体２の幅方向には留め具６が本体２を周回するよう取付けられるために幅方向にも留め具６による余分な出っ張りが形成されるものとなる。これに対し本実施の形態では、図３に示すようにリング状を形成する係合部の厚さ方向では連結具５０と留め具６の二重のみであり、幅方向には何らの出っ張りも形成されず、結果的に非常にスッキリとしたデザインの構成とすることができる。
【００２３】
すなわち、本実施の形態に係る帯状シート部材収納装飾具１は、図１に示すホルダ部２６と図３に示す連結具５０とを適切に選択することにより、キーホルダのように利用する場合においてもブレスレットのように利用する場合においても、余分な膨らみや出っ張りが形成されることなく、従来技術に比べて優れた機能性とデザインを備えた装飾具を提供するものとなる。
【００２４】
本実施の形態に示す帯状シート部材収納装飾具１には、以上の説明に加えて他の使用態様も考えられる。図１に示す例では、キーホルダの外にも、本体２の収納部に装飾用のテープと名前を記載したテープを表裏に重ねて差し込めばアクセサリを兼ねたネームタグとして使用できる。ホルダ部２６に差し込まれるのは図１（ｂ）に示すキーリング４０には限定されず、チェーン状のもの、あるいは紐であってもよく、さらにはホルダ部２６のＵ字状部分を長めに形成して、例えばショルダバッグ等のベルトを直接挟んで留めることによりアクセサリとして利用することもできる。
【００２５】
図３に示す例では、ブレスレットの外にも、ペット用の首飾り、あるいはバッグのベルトに取り付けてアクセサリとして使用することもできる。これらはいずれも単なる例示であって、アイデア次第で各種用途の装飾品としての利用が考えられる。各部材の材質や寸法も機能を果たせる範囲内において自在に変更でき、係合部材、被係合部材の形式についても同様である。また、透明の本体２の長手方向の縁に沿って目盛（スケール）を印刷しておけば、本体２を延ばすことでこれを物差しとして利用することもできる。
【産業上の利用可能性】
【００２６】
本考案に係る帯状のシート部材収納装飾具は、キーホルダ、ブレスレット、その他の装飾品を製造、使用、販売する産業分野等において広く利用することができる。
【符号の説明】
【００２７】
１．帯状シート部材収納装飾具、  ２．本体、  ６．留め具６（６ａ、６ｂ）、  ２６．ホルダ部、  ２８．係合部、  ３０．被係合部、  ３２．貫通孔、  ４０．キーリング、  ５０．連結具。
【図１】
0003215266.tif 000003
【図２】
0003215266.tif 000004
【図３】
0003215266.tif 000005
【図４】
0003215266.tif 000006
【図５】
0003215266.tif 000007
【図６】
0003215266.tif 000008